(57)【要約】【課題】固定具でアスファルトルーフィングに開けられた穴から侵入した雨水が野地板にまで到達する可能性がある。【解決手段】瓦本体１の尻側部位に釘穴２を貫設し、瓦本体１の尻側下面における、釘穴２より尻側部位に遮水壁３を垂設し、該遮水壁３の下端全体をアスファルトルーフィングＡ、Ａａ…の上面に密着可能とした屋根瓦を、釘穴２を貫通させた固定具Ｂを屋根下地側に打ち込めば、遮水壁３の下端におけるアスファルトルーフィングＡ、Ａａ…の上面との密着部位が遮水壁３の幅方向全体にわたることとなって、雨水は遮水壁３に到達しても極一部がアスファルトルーフィングＡ、Ａａ…との微小隙間に毛細管現象で入り込むが当該部位に留まるため、固定具ＢでアスファルトルーフィングＡ、Ａａ…に開けられた穴まで雨水が到達しない。【選択図】図５
2020045619.tif 000002
【特許請求の範囲】
【請求項１】
瓦本体の尻側部位に釘穴を貫設し、前記瓦本体の尻側下面における、前記釘穴より尻側部位に遮水壁を垂設し、該遮水壁の下端全体をアスファルトルーフィング上面に密着可能としたことを特徴とする屋根瓦。
【請求項２】
前記遮水壁を横長台形状に形成し、下端を曲面状に形成したことを特徴とする請求項１記載の屋根瓦。
【請求項３】
前記遮水壁を、前記釘穴の少なくとも尻側及び両側の三方向を囲う様に形成し、この遮水壁の下端を前記瓦本体の下面に対し戻り勾配と同角度傾斜させたことを特徴とする請求項１記載の屋根瓦。
【発明の詳細な説明】
【技術分野】
【０００１】
本発明は、屋根下地側の横桟木を不要にする屋根瓦に関する。
【背景技術】
【０００２】
従来、防水機能を備えた屋根瓦用固定具としては、釘、ネジ等の固定具本体と、該固定具本体の頭部の直下に配した、葺設状態における屋根瓦の釘穴を塞ぐパッキンを有したものであったり（例えば、特許文献１、２参照）、或いは固定具本体の軸部の周囲部に、熱可塑性樹脂で、撥水性、伸縮性、粘性を備えたシリコーン系樹脂によるコーキング用樹脂層を形成したもの（例えば、特許文献３参照）が見受けられる。
【先行技術文献】
【特許文献】
【０００３】
【特許文献１】特開平１１−３０３３２１号公報
【発明の概要】
【発明が解決しようとする課題】
【０００４】
しかし、前者の固定具にあっては、釘穴を塞ぐためだけのものであるため、葺設状態の屋根瓦の隙間から雨水などが侵入して、アスファルトルーフィング上にまで到達してしまった場合、固定具でアスファルトルーフィングに開けられた穴を雨水が通過して野地板にまで到達してしまう可能性を否定出来ず、後者の固定具にあっては、固定具でアスファルトルーフィングに開けられた穴を塞ぐことは可能であるが、釘穴を塞ぐことが出来ないなど、解決せねばならない課題があった。
【課題を解決するための手段】
【０００５】
本発明は、上記従来技術に基づく、固定具でアスファルトルーフィングに開けられた穴を雨水が通過して野地板にまで到達する可能性がある課題に鑑み、瓦本体の尻側部位に釘穴を貫設し、前記瓦本体の尻側下面における、前記釘穴より尻側部位に遮水壁を垂設し、該遮水壁の下端全体をアスファルトルーフィング上面に密着可能とした屋根瓦を、釘穴を貫通させた固定具を屋根下地側に打ち込むことによって、遮水壁の下端におけるアスファルトルーフィングの上面との密着部位が遮水壁の幅方向全体にわたることとなって、アスファルトルーフィング上を流下し遮水壁に到達した雨水を、極一部がアスファルトルーフィングとの微小隙間に毛細管現象で入り込むが当該部位に留まらせて、固定具でアスファルトルーフィングに開けられた穴まで到達させない様にして、上記課題を解決する。
【発明の効果】
【０００６】
要するに本発明は、瓦本体の尻側部位に釘穴を貫設し、前記瓦本体の尻側下面における、前記釘穴より尻側部位に遮水壁を垂設し、該遮水壁の下端全体をアスファルトルーフィング上面に密着可能としたので、かかる屋根瓦をアスファルトルーフィング上に直接載置する様に葺設した状態で棟側から軒側を見ると、横幅の広い遮水壁でアスファルトルーフィングに開けられた穴が完全に隠されるため、アスファルトルーフィング上を流下する雨水のアスファルトルーフィングの穴への到達を防止することが出来る。
【０００７】
遮水壁を横長台形状に形成し、下端に曲面部を形成したので、屋根勾配及び屋根瓦の戻り勾配とは関係なく、遮水壁の曲面部におけるアスファルトルーフィングの上面との密着部位を遮水壁の幅方向全体にわたらせることが出来ることから、アスファルトルーフィング上を流下してきた雨水が遮水壁に到達しても、曲面部とアスファルトルーフィングとの間に表面張力による水膜が形成されて、雨水の通過を確実に防止することが出来るため、アスファルトルーフィング上を流下する雨水のアスファルトルーフィングの穴への到達を完全に防止することが出来る。
【０００８】
瓦本体の尻側部位に釘穴を貫設し、前記瓦本体の尻側下面に、前記釘穴の少なくとも尻側及び両側の三方向を囲う遮水壁を一体形成し、該遮水壁の下面を前記瓦本体の下面に対し戻り勾配と同角度傾斜させたので、葺設状態において遮水壁の下面の全体が屋根下地側のアスファルトルーフィングの上面に密着して、固定具でアスファルトルーフィングに開けられた穴を遮水壁で囲うことが出来るため、棟側から流下する雨水のアスファルトルーフィングの穴への到達を完全に防止することが出来、且つ葺設された屋根瓦の安定化を図ることが出来る等その実用的効果甚だ大である。
【図面の簡単な説明】
【０００９】
【図１】本発明に係る屋根瓦の平面図である。
【図２】図１の屋根瓦の底面図である。
【図３】図１の屋根瓦の背面図である。
【図４】図１の屋根瓦の葺設過程を示す平面図である。
【図５】図４のＹ１−Ｙ１断面の要部拡大図である。
【図６】本発明に係る屋根瓦の実施例２の平面図である。
【図７】図６のＸ−Ｘ断面図である。
【図８（ａ）】図６の屋根瓦の底面斜視図の要部拡大図である。
【図８（ｂ）】実施例２における湾曲形状の遮水壁を有する屋根瓦の底面斜視図の要部拡大図である。
【図９】図６の屋根瓦の葺設過程を示す平面図である。
【図１０】図４のＹ２−Ｙ２断面の要部拡大図である。
【発明を実施するための形態】
【００１０】
以下、本発明に係る屋根瓦の実施の形態を図面に基づき説明する。
本発明に係る屋根瓦にあっては、瓦本体１の尻側部位に釘穴２を貫設し、前記瓦本体１の尻側下面における、前記釘穴２より尻側部位に遮水壁３を垂設し、該遮水壁３は下辺を直線状とした横長台形状に形成して下端に曲面部４を形成して、葺設状態において遮水壁３の曲面部４におけるアスファルトルーフィングＡ、Ａａ…との密着部位を遮水壁３の幅方向全体にわたらせることを可能としている。
【実施例１】
【００１１】
本発明に係る屋根瓦は、図１〜３に示す様に、略方形板状の瓦本体１の一側方にオーバーラップ部５を、他側方にアンダーラップ部６を、頭側に垂れ７を有する平板瓦で、尻側部位に２個の釘穴２、２を貫設し、尻側下面に２片の遮水壁３、３を設けている。
【００１２】
そして、図４、５に示す様に、表面に等間隔に基準線Ｌ、Ｌａ…があるアスファルトルーフィングＡ、Ａａ…を野地板Ｎ上に、上方のアスファルトルーフィングＡａ、Ａｂ…を下方のアスファルトルーフィングＡ、Ａａ…に重ねて、全ての基準線Ｌ、Ｌａ…間の寸法を同寸とする様に、軒下側より棟側へ順次敷設し、本発明に係る屋根瓦をアスファルトルーフィングＡ、Ａａ…上に、瓦本体１の尻側端を各基準線Ｌ、Ｌａ…に揃えて載置すると共に、釘穴２を貫通させた釘、ネジ等の固定具Ｂを、アスファルトルーフィングＡ、Ａａ…を貫通させ野地板Ｎに打ち込むことで、遮水壁３の曲面部４におけるアスファルトルーフィングＡ、Ａａ…の上面との密着部位を遮水壁３の幅方向全体にわたらせた状態で、屋根瓦が屋根下地側に順次固定される。
【００１３】
そして、完成した瓦屋根における屋根瓦間の隙間から雨水が侵入してアスファルトルーフィングＡ、Ａａ…にまで到達してしまった場合、アスファルトルーフィングＡ、Ａａ…上を流下する雨水が遮水壁３に到達すると、極一部がアスファルトルーフィングＡ、Ａａ…との微小隙間に毛細管現象で入み、更に曲面部４と該アスファルトルーフィングＡ、Ａａ…の上面との間に水膜が形成されることで、雨水の通過が完全に防止されて、固定具ＢでアスファルトルーフィングＡ、Ａａ…に開けられた穴まで到達しない。
【００１４】
尚、上記実施例にあっては、釘穴２及び遮水壁３が２組あるが、１組又は３組以上であっても良い。
【００１５】
又、本発明に係る屋根瓦は、屋根下地に横桟木を設ける在来工法に使用することも可能で、この場合、遮水壁３を横桟木に引っ掛ける様にして葺設する。
【実施例２】
【００１６】
本発明に係る屋根瓦の実施例２にあっては、瓦本体１の尻側下面に、尻側部位に貫設した釘穴２の少なくとも両側及び尻側の三方向を囲う遮水壁３を一体形成し、該遮水壁３の下面４を瓦本体１の下面に対し戻り勾配αと同角度傾斜させ、遮水壁３の高さが頭側へ徐々に高くして、葺設状態において遮水壁３の下面４の全体がアスファルトルーフィングＡ、Ａａ…の上面に密着可能としている。
【００１７】
具体的には、図６〜８（ａ）、（ｂ）に示す様に、略方形板状の瓦本体１の一側方にオーバーラップ部５を、他側方にアンダーラップ部６を、頭側に垂れ７を有する平板瓦で、尻側部位の中央に釘穴２を貫設し、尻側下面に遮水壁３及び２枚の垂壁８、8aを設け、該垂壁８、8aは瓦本体１の幅方向に長く、遮水壁３と尻側端縁との間に並列配置し、下面９、9aを、遮水壁３の下面４の同一平面上に形成することで、葺設状態においてアスファルトルーフィングＡ、Ａａ…の上面に密着可能としている。
【００１８】
遮水壁３は、図８（ａ）に示す様に、尻側部位10及び側方部位11、11a を有し、尻側部位10は中央より外側且つ頭側へ傾けて形成し、この尻側部位10の両端部に側方部位11、11a を一体形成し、尻側部位10は中央より両端へ、側方部位11、11a は尻側より頭側へ徐々に高くなり、且つ尻側部位10及び側方部位11、11a の下面を同一平面上に形成して、遮水壁３の下面４と成している。
【００１９】
或いは、図８（ｂ）に示す様に、瓦本体１、釘穴２及び垂壁８、8aを有し、遮水壁３は、釘穴２の尻側及び両側の三方向を囲う様に湾曲した形状としている。
【００２０】
そして、図９、１０に示す様に、表面に等間隔に基準線Ｌ、Ｌａ…があるアスファルトルーフィングＡ、Ａａ…を野地板Ｎ上に、上方のアスファルトルーフィングＡａ、Ａｂ…を下方のアスファルトルーフィングＡ、Ａａ…に重ねて、全ての基準線Ｌ、Ｌａ…間の寸法を同寸とする様に、軒下側より棟側へ順次敷設し、本発明に係る屋根瓦をアスファルトルーフィングＡ、Ａａ…上に、瓦本体１の尻側端を各基準線Ｌ、Ｌａ…に揃えて載置すると共に、釘穴２を貫通させた釘、ネジ等の固定具Ｂを、アスファルトルーフィングＡ、Ａａ…を貫通させ野地板Ｎに打ち込むことで、遮水壁３及び垂壁８、8aの下面４、９、9aの全体がアスファルトルーフィングＡ、Ａａ…の上面に密着した状態で、屋根瓦を屋根下地側に順次固定する。
【００２１】
そして、完成した瓦屋根における屋根瓦間の隙間から雨水が侵入してアスファルトルーフィングＡ、Ａａ…にまで到達してしまった場合、アスファルトルーフィングＡ、Ａａ…上を流下する雨水が、先ず最初の垂壁８で塞き止められ、仮に垂壁８を通過しても次の垂壁8aで塞き止められ、仮に垂壁8aを通過しても遮水壁３に到達して、極一部がアスファルトルーフィングＡ、Ａａ…との微小隙間に毛細管現象で入り込んで当該部位に留まり、残る大部分の雨水は、防水壁３に沿って迂回流下して、固定具ＢでアスファルトルーフィングＡ、Ａａ…に開けられた穴まで到達しない。
仮に、雨水が斜め上方より垂壁８、8aに当たらない様に勢い良く流下してきたとしても、遮水壁３の両端部位に当たって、固定具ＢでアスファルトルーフィングＡ、Ａａ…に開けられた穴まで到達しない。
【００２２】
尚、上記実施例２にあっては、２枚の垂壁８、8aを有しているが、２枚に限定されず、無くても良い。
【符号の説明】
【００２３】
１  瓦本体
２  釘穴
３  遮水壁
４  曲面部
α  戻り勾配
【図１】
2020045619.tif 000003
【図２】
2020045619.tif 000004
【図３】
2020045619.tif 000005
【図４】
2020045619.tif 000006
【図５】
2020045619.tif 000007
【図６】
2020045619.tif 000008
【図７】
2020045619.tif 000009
【図８（ａ）】
2020045619.tif 000010
【図８（ｂ）】
2020045619.tif 000011
【図９】
2020045619.tif 000012
【図１０】
2020045619.tif 000013